(57)【特許請求の範囲】
【請求項１】
収縮した振出式の釣竿に用いられる釣竿用竿先保護具であって、
前端と、長手方向において前記前端の反対側に位置する後端と、前記後端に前記釣竿が先端から挿入される挿入口と、を有する筒状体と、
前記筒状体の長手方向に延長して前記筒状体の前端側に小さくなる幅を有し前記釣竿の釣り糸ガイドのうち一部が係止されるガイド通過溝を備えて前記筒状体の内面に一体に形成されるリブと、
前記リブの前方で前記筒状体に開いており、少なくとも後端で前記ガイド通過溝の前端での幅より大きい幅を有するスリットと、を含み、
前記ガイド通過溝の前端が位置する前記リブの前端面が前記スリットの後端に位置し、
前記釣り糸ガイドは前記スリットの上方で前記筒状体の内側に収容される、
釣竿用竿先保護具。
【請求項２】
前記リブの前端面は前記筒状体の内面に垂直である、請求項１に記載の釣竿用竿先保護具。
【請求項３】
前記リブの前端面はテーパー形状を有し、前記スリットの後端より上方に向かって前記筒状体の前端側に傾斜する、請求項１に記載の釣竿用竿先保護具。
【請求項４】
前記リブの上端面は前記筒状体の後端側に狭くなる、請求項１に記載の釣竿用竿先保護具。
【請求項５】
前記スリットの一部または全部を覆うように前記筒状体に除去可能に取り付けられるスリットカバーをさらに含む、請求項１に記載の釣竿用竿先保護具。
【請求項６】
請求項１から請求項５のいずれか１項に記載の釣竿用竿先保護具を備える釣竿。
【発明の詳細な説明】
【技術分野】
【０００１】
本発明は、釣竿用竿先保護具及びこれを備える釣竿に関するものである。
【背景技術】
【０００２】
振出式釣竿（ｔｅｌｅｓｃｏｐｉｃ  ｆｉｓｈｉｎｇ  ｒｏｄ）は、順次に嵌められる複数の竿管を備えてその長手方向において伸縮可能である。収縮した振出式釣竿の先端部分に位置する竿と釣り糸ガイドを保護するために、釣竿用竿先保護具が釣竿に取り付けられる。釣竿用竿先保護具は、収縮した振出式釣竿の先端部分に位置する竿と釣り糸ガイドを収容するように形成されている。
【０００３】
特許第２７９１６３２号（特許文献１）は、釣り糸ガイドが係止されるガイド係止部が内部に配置される釣竿用竿先保護具を提案する。図１は、上記特許文献１に開示される従来技術の釣竿用竿先保護具と振出式釣竿の一例を示す。図１を参照すると、釣竿用竿先保護具１０の本体１１の内部に釣竿２０の釣り糸ガイドのうち一部が係止されるガイド係止部１２が配置される。釣竿２０をその先端から本体１１に挿入すると、２番竿２２の固定ガイド２２ａと遊動ガイド２２ｂはガイド係止部１２を通過してガイド係止部１２の前方で本体１１の内部に収容される。ガイド係止部１２は、２番竿の遊動ガイド２２Ｂが通過できる大きさになっている通路を有し、３番竿の固定ガイド２３ａはガイド係止部１２を通過できずガイド係止部１２に係止されることになる。ガイド係止部１２の前方で本体１１の幅がガイド係止部１２の上記通路の幅より大きいため、釣竿用竿先保護具１０に過度な負荷がかかる場合、３番竿の固定ガイド２３ａがガイド係止部１２を過ぎて前方に移動してガイド係止部１２の前方で本体１１内に収容されるので、３番竿の固定ガイド２３ａが本体１１の内部に挟まらない。
【先行技術文献】
【特許文献】
【０００４】
【特許文献１】特許第２７９１６３２号
【発明の概要】
【発明が解決しようとする課題】
【０００５】
振出式の釣竿用竿先保護具は、収縮した振出式釣竿の先端部分を保護するだけでなく、釣り糸ガイドの挟まりを防止して釣竿から容易に分離されるように設計されなければならない。また、振出式の釣竿用竿先保護具は高い生産性と低い製造原価で製造され得るように簡単な構造を有するように設計されなければならない。しかし、図１に示す従来技術の釣竿用竿先保護具１０は、本体１１とは別個に設けられたガイド係止部１２が本体１１に接着または嵌合によって結合されている。このような従来技術の釣竿用竿先保護具１０は、別個に設けられなければならないガイド係止部１２によって製造原価の節減と高い生産性を達成できない。また、釣竿２０または釣竿用竿先保護具１０に過度な負荷がかかってガイド係止部１２の幅よりも大きい釣り糸ガイドがガイド係止部１２を乗り越えて前方へ移動してしまったり、ガイド係止部１２に挟まって固着してしまった場合、ガイド係止部１２の前方で釣竿２０の穂先竿が湾曲するか湾曲した穂先竿によって釣り糸ガイド同士が接触するようになる。しかし、従来技術の釣竿用竿先保護具１０は穂先竿の湾曲や釣り糸ガイド間の接触を解消できないように設計されているため、釣竿２０の損傷を誘発し得る。このように、従来技術の釣竿用竿先保護具は、収縮した釣竿２０の先端部分をある程度保護できるが、複雑な構造に設計されており、その内部で発生し得る穂先竿の湾曲または釣り糸ガイド間の接触には対処できないように設計されている。
【０００６】
本発明は、このような従来技術の問題点を解決するために創案されたものであって、単純な構造で釣り糸ガイドの係止を達成し、釣り糸ガイドの挟まりを防止する釣竿用竿先保護具を提供する。
【０００７】
また、本発明は、穂先竿の湾曲と釣り糸ガイド間の接触の解消を可能にする釣竿用竿先保護具を提供する。
【課題を解決するための手段】
【０００８】
本発明の一側面によると、収縮した振出式の釣竿に用いられる釣竿用竿先保護具が提供される。一実施例において、釣竿用竿先保護具は、筒状体と、上記筒状体の内面に一体に形成されるリブと、上記リブの前方で上記筒状体に開いているスリットとを含む。上記筒状体は、前端と長手方向において上記前端の反対側に位置する後端と上記後端に上記釣竿が先端から挿入される挿入口とを有する。上記リブは、上記釣竿の釣り糸ガイドのうち一部が係止されるガイド通過溝を備える。上記ガイド通過溝は、上記筒状体の長手方向に延長して上記筒状体の前端側に小さくなる幅を有する。上記スリットは、少なくとも後端で上記ガイド通過溝の前端での幅より大きい幅を有する。上記ガイド通過溝の前端が位置する上記リブの前端面が上記スリットの後端に位置する。上記釣り糸ガイドは上記スリットの上方で上記筒状体の内側に収容される。
【０００９】
一実施例において、上記リブの前端面は、上記筒状体の内面に垂直であり得る。上記リブの前端面は、テーパー形状を有し、上記スリットの後端より上方に向かって上記筒状体の前端側に傾斜し得る。上記リブの上端面は、上記筒状体の後端側に狭くなり得る。
【００１０】
一実施例において、上記保護具は、上記スリットの一部または全部を覆うように上記筒状体に除去可能に取り付けられるスリットカバーをさらに含む。
【００１１】
本発明の他の側面は、前述した実施例の釣竿用竿先保護具を備える釣竿を提供する。
【発明の効果】
【００１２】
実施例による釣竿用竿先保護具によれば、釣竿のガイドが係止されるリブが筒状体の内面に一体となって、簡単な構造でガイドの係止を達成し、釣竿用竿先保護具の生産性を向上させてその製造原価を節減させる。また、筒状体でリブの前に設けられたスリットを通じて、過度な負荷がかかる時に発生する穂先竿の湾曲またはこのような湾曲による釣り糸ガイド間の接触を解消することができる。
【図面の簡単な説明】
【００１３】
【図１】従来技術の釣竿用竿先保護具を示す図である。
【図２】一実施例の釣竿とそれに取り付けられた釣竿用竿先保護具を示す図である。
【図３】一実施例の釣竿用竿先保護具を示す側面図である。
【図４】図３に示す釣竿用竿先保護具の下方斜視図である。
【図５】図３に示す釣竿用竿先保護具の底面図である。
【図６】図３のＶＩ−ＶＩ線に沿った断面図である。
【図７】図３のＶＩＩ−ＶＩＩ線に沿った断面図である。
【図８】図３のＶＩＩＩ−ＶＩＩＩ線に沿った断面図である。
【図９】図５のＩＸ−ＩＸ線に沿った断面図である。
【図１０】図３に示す釣竿用竿先保護具を示す斜視図であって、図５のＩＸ−ＩＸ線に沿った断面を示す図である。
【図１１】図１０のＡ部分の拡大図である。
【図１２】図１１と類似の図であって、リブの前端面の他の例を示す図である。
【図１３】一実施例の釣竿用竿先保護具にスリットが形成される一例を示す斜視図である。
【図１４】図３に示す釣竿用竿先保護具が一実施例の釣竿に取り付けられたものを示す図である。
【図１５】図１４と類似の図であって、釣竿用竿先保護具に負荷がかかって収縮した釣竿の先端部分が撓む例を示す図である。
【図１６】他の実施例の釣竿用竿先保護具を示す下方斜視図である。
【図１７】図１６に示す釣竿用竿先保護具を示す側面図であって、スリットカバーが分離されているものを示す図である。
【発明を実施するための形態】
【００１４】
以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。
【００１５】
添付の図面を参照して、釣竿用竿先保護具とこれを備える釣竿の実施例を説明する。図面において同一の参照番号は、同一または対応する要素または部品を指す。本明細書で用いる「前方」、「前」等の方向指示語は、釣竿の先端に向かう方向（図２で符号ＴＤで示した方向）を意味し、「後方」、「後」等の方向指示語は、釣竿の後端に向かう方向（図２で符号ＢＤで示した方向）を意味する。
【００１６】
一実施例による釣竿が図２に示されている。図２に示す釣竿２００は、複数の竿管を備え、１つの竿管がその次に位置してさらに大きい外径を有する竿管の内部に嵌められるテレスコピック（ｔｅｌｅｓｃｏｐｉｃ）方式で複数の竿管が結合されている振出式釣竿である。図２は、釣竿２００が収縮していることを示す。
【００１７】
この実施例において、釣竿２００は、その先端に位置する穂先竿２１１（穂先竿は、当該分野において１番竿として参照され得る）と、穂先竿２１１から後端側に順次に２番竿２１２、３番竿２１３、４番竿２１４、５番竿２１５及び元竿２１６を備える。元竿２１６は、使用者がつかめる部分として機能する。元竿２１６には、リールシート（図示せず）が取り付けられ、上記リールシートには、釣り糸（図示せず）が巻かれたリール（図示せず）が装着され得る。また、釣竿２００は、上記リールから放出されるか上記リールに巻かれる釣り糸を案内するための複数の釣り糸ガイドを備える。上記釣り糸ガイドは、各竿に取り付けられて固定される固定ガイドと各竿に沿ってスライド可能なまたは回転可能な遊動ガイドを含む。この実施例において、前述した固定ガイドの例として、釣竿２００は、穂先竿２１１の先端に取り付けられたトップガイド２２１と、２番竿２１２の先端に取り付けられた固定ガイド２２２と、３番竿２１３の先端に取り付けられた固定ガイド２２３と、４番竿２１４の先端に取り付けられた固定ガイド２２４と、５番竿２１５の先端に取り付けられた固定ガイド２２５とを備える。前述した遊動ガイドの例として、釣竿２００は、穂先竿２１１の中間に配置される遊動ガイド２３１と、３番竿２１３の中間に配置された遊動ガイド２３３とを備える。また、釣竿２００は、釣竿２００の各竿、トップガイド２２１、固定ガイド２２２、２２３、２２４、２２５及び遊動ガイド２３１、２３３を保護する釣竿用竿先保護具１００を備える。
【００１８】
図２乃至図１５は、釣竿２００に取り付けられる釣竿用竿先保護具（以下、簡単に保護具という）の一実施例を示す。一実施例の釣竿用竿先保護具１００は、収縮状態の釣竿２００に除去（着脱）可能に取り付けられて、少なくとも収縮状態の釣竿２００の先端部分及びガイドを保護する。
【００１９】
釣竿用竿先保護具１００は、収縮状態の釣竿２００の一部（例えば、釣竿２００の穂先竿２１１乃至５番竿２１５、釣竿２００の各竿に位置するガイドなど）が挿入される筒状体１１０を備える。筒状体１１０が収縮状態の釣竿２００の先端部分及びガイドを取り囲むように釣竿用竿先保護具１００が釣竿２００に取り付けられて釣竿２００を保護する。一例として、筒状体１１０は、プラスチック材料を射出成形して製造される。
【００２０】
図２に示すように、収縮状態の釣竿２００を側面から見ると、ガイドのサイズが釣竿２００の先端に行くほど小さくなる。図９及び図１０に示すように、筒状体１１０は、このようなガイドをその中に遊びを持って収容できるように形成される。筒状体１１０はその前端１１１Ｆ側に内部空間の横断面積が減少する略漏斗状に形成されている。即ち、筒状体１１０の縦断面において、筒状体１１０の内部空間の形状は後端から前端側に高さが減少する形状になり得る。筒状体１１０の前端１１１Ｆ側に横断面積が減少する筒状体１１０の内部空間が収縮状態の釣竿２００の先端部分及びガイドを収容する収容部１１２を形成する。筒状体１１０の前端１１１Ｆは閉鎖されている。筒状体１１０の長手方向において前端１１１Ｆの反対側に位置する後端１１１Ｒは開放され、釣竿２００がその先端から挿入される挿入口１１１Ｉを形成する。また、筒状体１１０は筒状体１１０の後端１１１Ｒから後方に延長する取付部１１３を備える。取付部１１３は、Ｖ字型、略半円形またはＵ字型などの横断面形状を有し、釣竿用竿先保護具１００が釣竿２００に取り付けられる時、例えば、釣竿２００の元竿２１６と締め付けられる。また、この実施例において、筒状体１１０は、前端１１１Ｆの前面に取り付けられたクッション部材１１４を備える。
【００２１】
筒状体１１０の収容部１１２は、筒状体１１０の前方に位置する前方収容部１１２Ｆと、前方収容部１１２Ｆと挿入口１１１Ｉの間に位置する後方収容部１１２Ｒを含む。前方収容部１１２Ｆと後方収容部１１２Ｒは、後述するリブ１２０の前端面１２３Ｆを境界として区分され得る。前方収容部１１２Ｆと後方収容部１１２Ｒは、筒状体１１０の内部空間の横断面積が筒状体１１０の前端１１１Ｆ側に減少するように形成されている。
【００２２】
釣竿用竿先保護具１００は、釣竿２００の釣り糸ガイドのうち一部（例えば、釣竿２００の固定ガイド２１３及びそれ以降の後端側に位置するガイド）が係止されるリブ１２０を備える。リブ１２０は、筒状体１１０の内側下方に後方収容部１１２Ｒの領域に位置して前方収容部１１２Ｆの後端に接している。また、リブ１２０は、筒状体１１０の内面１１１Ｓに一体に形成されている。従って、リブ１２０は、後方収容部１１２Ｒの領域で筒状体１１０の内面１１１Ｓから突出している。リブ１２０の下面１２３Ｂが後方収容部１１２Ｒでの筒状体１１０の下面の一部となる。リブ１２０の前端面１２３Ｆは、筒状体１１０の内面１１１Ｓに略垂直である。他の例として、図１２に示すように、リブ１２０の前端面１２３Ｆは上側に狭くなるテーパー形状を有し、後述するスリット１３０の後端１３１より上方に向かって筒状体１１０の前端１１１Ｆ側に傾斜し得る。このようなリブ１２０の前端面１２３Ｆの形状により、筒状体１１０の内面において、前方収容部１１２Ｆとリブ１２０の間には、リブの前端面１２３Ｆにより段差面が形成される。
【００２３】
図６及び図７に示すように、リブ１２０は、その中央にガイド通過溝１２１を備える。釣竿用竿先保護具１００を収縮状態の釣竿２００に取り付ける時、釣竿２００のガイドのうち一部がガイド通過溝１２１を通過する。ガイド通過溝１２１は、筒状体１１０の長手方向に延長するようにリブ１２０の中央に形成されている。ガイド通過溝１２１の前端は、リブ１２０の前端面１２３Ｆに位置する。図６乃至図８に示すように、ガイド通過溝１２１は、釣り糸ガイドの下部形状に合わせた半円形またはＵ字型の横断面形状を有する。また、ガイド通過溝１２１は、リブ１２０の前端面１２３Ｆまたは筒状体１１０の前端１１１Ｆ側に狭くなる。即ち、ガイド通過溝１２１は、リブ１２０の前端面１２３Ｆまたは筒状体１１０の前端１１１Ｆ側に減少する幅ＷＲを有し、ガイド通過溝１２１の幅ＷＲはリブ１２０の前端面１２３Ｆで最小となる。ガイド通過溝１２１の幅ＷＲは、筒状体１１０の長手方向と直交する方向でのリブ１２０の上端面１２３Ｔの縁間の距離として定義され得る。このように、ガイド通過溝１２１がリブ１２０の前端面１２３Ｆ側に狭くなるので、リブ１２０の上端面１２３Ｔはリブ１２０の前端面１２３Ｆから筒状体１１０の後端側に狭くなる。
【００２４】
釣竿用竿先保護具１００を収縮状態の釣竿２００に取り付ける時、釣竿２００のガイドのうち釣竿２００の先端から後端側に所定のガイド（例えば、前述した実施例の釣竿２００においてはトップガイド２２１、遊動ガイド２３１、固定ガイド２２２）がガイド通過溝１２１を通過するようにガイド通過溝１２１の大きさ（またはガイド通過溝１２１の幅）が定められている。しかし、釣竿２００のガイドのうち、上記所定のガイドを除いたガイド（例えば、前述した実施例の釣竿２００においては固定ガイド２２３、遊動ガイド２３３、固定ガイド２２４、固定ガイド２２５）は、ガイド通過溝１２１を通過できないようにガイド通過溝１２１の大きさ（またはガイド通過溝１２１の幅）が定められている。ガイド通過溝１２１を通過できない釣竿２００のガイドは、ガイド通過溝１２１の表面に係止される。即ち、リブ１２０は、釣竿２００のガイドが係止されるガイド係止面１２２を備え、ガイド係止面１２２は、ガイド通過溝１２１の内周面によって形成される。
【００２５】
釣竿用竿先保護具１００は、リブ１２０の前方で筒状体１１０に開いているスリット１３０を備える。スリット１３０を通じて筒状体１１０の前方収容部１１２Ｆへの接近が許容される。スリット１３０は、筒状体１１０の前方収容部１１２Ｆの領域において筒状体１１０の下側に位置する。この実施例において、スリット１３０は、筒状体１１０の取付部１１３と同一側に形成されている。スリット１３０は、筒状体１１０の前端１１１Ｆからリブ１２０の前端面１２３Ｆまで筒状体１１０の長手方向に延長する。この実施例において、ガイド通過溝１２１の前端が位置するリブ１２０の前端面１２３Ｆがスリット１３０の後端に位置して、前端面１２３Ｆの下側縁がスリット１３０の後端１３１となる。
【００２６】
図５及び図８に示すように、スリット１３０の幅ＷＳは、スリット１３０の全長にわたって一定であり得る。スリット１３０の幅ＷＳは、筒状体１１０の長手方向と直交する方向でのスリット１３０の縁間の距離として定義され得る。または、スリット１３０の幅ＷＳは、リブ１２０のガイド通過溝１２１の前端付近で（スリット１３０の後端１３１で）最大となり、筒状体１１０の前端１１１Ｆ側に減少し得る。即ち、スリット１３０の後端に位置するリブ１２０の前端面１２３Ｆが段差面を形成するので、スリット１３０は、少なくとも後端１３１でガイド通過溝１２１の前端での幅ＷＲより大きい幅を有する。また、図５及び図８に示すように、スリット１３０は、釣竿用竿先保護具１００を底面から見れば、長方形の形状を有し得る。他の例として、スリット１３０の形状は前端が丸い形状または前端側にテーパーされる形状を有し得る。図７及び図８に示すように、スリット１３０の上方で筒状体１１０の対向する内面１１１Ｓは平らである。図１４に示すように、釣竿用竿先保護具１００が釣竿２００に取り付けられると、穂先竿２１１のトップガイド２２１及び遊動ガイド２３１と２番竿２１２の固定ガイド２２２がスリット１３０の上方で前方収容部１１２Ｆに位置する。スリット１３０の幅ＷＳがガイド通過溝１２１の前端での幅ＷＲより大きいので、もし、ガイド通過溝１２１に係止されている釣竿２００のガイドがガイド通過溝１２１を過ぎれば、このようなガイドは、スリット１３０の上方で前方収容部１１２Ｆに収容され得る。
【００２７】
少なくとも釣竿用竿先保護具１００の筒状体１１０は、プラスチック材料を用いて射出成形によって製造され、この射出成形時にスリット１３０が筒状体１１０に形成される。スリット１３０を筒状体１１０に形成するために、上記射出成形にはスリット１３０の形状に対応するスライドコア（ｓｌｉｄｅ  ｃｏｒｅ）が用いられる。例えば、図１３に示すように、スライドコア１３２を用いてスリット１３０が筒状体１１０に形成され得、スライドコア１３２は、筒状体１１０を製造するための金型にスライド可能に装着される。
【００２８】
また、釣竿用竿先保護具１００は、釣竿２００の元竿２１６との締付けのための締付け手段１４０を備える。この実施例において、締付け手段１４０は、複数の孔１４１Ｈが形成された締付けバンド１４１と、締付けバンド１４１の孔１４１Ｈに嵌められる係止固定用ピン１４２を含む。係止固定用ピン１４２は、筒状体１１０の取付部１１３の下面から突出しており、締付けバンド１４１の基端部は係止固定用ピン１４２に隣接して筒状体１１０の取付部１１３に固定されている。締付けバンド１４１は、ゴムなどの弾性材料からなり得る。締付け手段１４０の他の例として、面ファスナのようなフックアンドループ（ｈｏｏｋ  ａｎｄ  ｌｏｏｐ）締付け手段が用いられる。
【００２９】
図１４は、収縮した釣竿２００をその先端から筒状体１１０の挿入口１１１Ｉを通じて筒状体１１０の内部空間に挿入して釣竿用竿先保護具１００が釣竿２００に取り付けられている一例を示す。収縮した釣竿２００は、そのトップガイド２２１から筒状体１１０の挿入口１１１Ｉを通じて筒状体１１０の内部の収容部１１２に挿入される。収縮した釣竿２００を筒状体１１０に挿入すれば、穂先竿２１１のトップガイド２２１及び遊動ガイド２３１と２番竿２１２の固定ガイド２２２はリブ１２０のガイド通過溝１２１を通過して筒状体１１０の前方収容部１１２Ｆ内に進入する。従って、トップガイド２２１、遊動ガイド２３１及び固定ガイド２２２はスリット１３０の上方で筒状体１１０の内側に収容される。しかし、３番竿２１３の先端に位置する固定ガイド２２３は、リブ１２０のガイド通過溝１２１より大きいサイズを有するので、リブ１２０のガイド通過溝１２１を通過できずガイド係止面１２２に係止されることになる。また、３番竿２１３の遊動ガイド２３３以降のガイドは、３番竿２１３の固定ガイド２２３がガイド係止面１２２に係止されているので、筒状体１１０の前方収容部１１２Ｆに進入できず後方収容部１１２Ｒに位置するようになる。
【００３０】
釣竿用竿先保護具１００が取り付けられた釣竿２００が筒状体１１０の前端から地面に落下するか、または釣竿用竿先保護具１００が取り付けられた釣竿２００の後端から釣竿用竿先保護具１００側に衝撃が加えられる時に、筒状体１１０の前方収容部１１２Ｆに収容されている釣竿２００の先端部分（例えば、穂先竿２１１と２番竿２１２）が前方収容部１１２Ｆ内で撓むこともあり、このような撓みによって穂先竿２１１と２番竿２１２のガイドが接触し得る。また、ガイド通過溝１２１のガイド係止面１２２に係止されていたガイド（例えば、３番竿２１３の固定ガイド２２３）が上記の落下または衝撃によりガイド通過溝１２１を過ぎて前方収容部１１２Ｆに入り得る。前述した落下または衝撃による負荷が釣竿２００または釣竿用竿先保護具１００に掛かって、釣竿２００の先端部分が撓むか、またはガイドが接触したり係止されていたガイドが移動した例が図１５に示されている。スリット１３０の幅ＷＳがガイド通過溝１２１の前端での幅ＷＲより大きいので、ガイド通過溝１２１を過ぎた３番竿２１３の固定ガイド２２３は前方収容部１１２Ｆに収容され得る。従って、前述した落下または衝撃によって釣竿２００のガイドが筒状体１１０が内部に挟まることが防止され得る。また、図１５に例示する状況が発生する時、使用者は筒状体１１０のスリット１３０を通じて指又はツールなどを用いて湾曲した釣竿２００の先端部分を直してガイド間の接触を解除することができる。即ち、筒状体１１０のスリット１３０は、釣竿２００の湾曲やガイド接触を解消するために、使用者が指又はツールなどを挿入できる空間として機能することができる。また、前述した落下または衝撃によって、ガイド通過溝１２１よりも大きい径を有する釣り糸ガイド（例えば、前述した実施例における３番竿２１３の固定ガイド２２３）がガイド係止面１２２に詰まってしまい固着してしまうこともある。この場合にも、使用者はスリット１３０を通じて指又はツールなどを筒状体１１０の内部に挿入して上記釣り糸ガイドの固着を解除することができる。
【００３１】
図１６及び図１７は、他の実施例の保護具を示す。図１６及び図１７に示す釣竿用竿先保護具１００Ａは、スリット１３０の一部または全体を覆うように構成されたスリットカバー１５０を備える。
【００３２】
スリットカバー１５０は、ゴムまたはプラスチック材料で形成され得る。この実施例において、スリットカバー１５０は、筒状体１１０の前端１１１Ｆとスリット１３０にわたって位置するように形成されており、スリットカバー１５０を側面から見ると、Ｌ字型を有する。スリットカバー１５０は、筒状体１１０のスリット１３０を覆うように筒状体１１０に除去可能に取り付けられる。一例として、スリットカバー１５０は、筒状体１１０に係止固定によって取り付けられ得る。この実施例において、筒状体１１０は、その前端１１１Ｆに係止固定用突起１１５とその下面に（例えば、リブ１２０の下面１２３Ｂに）固定用ピン１１６を有する。スリットカバー１５０は、その前端に係止固定用突起１１５が係止されるか嵌合される部分（図示せず）を有し、その後端に固定用ピン１１６が挿入される孔１５１を有する。また、スリットカバー１５０は、筒状体１１０に前述した係止固定用突起１１５と固定用ピン１１６を用いる方式とは異なる方式でも取り付けられ得る。
【００３３】
以上、本発明の実施例について説明したが、今回開示された実施例は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００３４】
１００，１００Ａ  釣竿用竿先保護具、１１０  筒状体、１１１Ｆ  筒状体の前端、１１１Ｒ  筒状体の後端、１１１Ｉ  挿入口、１１２  収容部、１１２Ｆ  前方収容部、１１２Ｒ  後方収容部、１１３  取付部、１１４  クッション部材、１１５  係止固定用突起、１１６  固定用ピン、１２０  リブ、１２１  ガイド通過溝、１２２  ガイド係止面、１２３Ｆ  前端面、１２３Ｔ  上端面、１２３Ｂ  下端面、１３０  スリット、１３１  スリットの後端、１３２  スライドコア、１４０  締付け手段、１４１  締付けバンド、１４２  係止固定用ピン、１５０  スリットカバー、１５１  係止固定用孔、２００  釣竿、２１１  穂先竿、２１２  ２番竿、２１３  ３番竿、２１４  ４番竿、２１５  ５番竿、２１６  元竿、２２１  トップガイド、２２２，２２３，２２４，２２５  固定ガイド、２３１，２３３  遊動ガイド、ＷＲ  ガイド通過溝の幅、ＷＳ  スリットの幅。
【要約】
【課題】収縮した振出式の釣竿用竿先保護具及びこれを備える釣竿を提供する。
【解決手段】この釣竿用竿先保護具は、筒状体１１０と、筒状体１１０の内面に一体に形成されたリブと、リブの前方で筒状体１１０に開いているスリット１３０とを備える。釣竿は、その先端から筒状体１１０の後端の挿入口１１１Ｉを通じて筒状体１１０の内部に挿入される。リブは、釣竿２００のガイドのうち一部の通過を許容するが、残りの一部が係止されるガイド通過溝を備える。ガイド通過溝は、筒状体１１０の長手方向に延長して筒状体１１０の前端側に小さくなる幅を有する。スリット１３０は、ガイド通過溝の前端での幅より大きい幅を有する。
【選択図】図１４【図１】
0005947970.tif 000002
【図２】
0005947970.tif 000003
【図３】
0005947970.tif 000004
【図４】
0005947970.tif 000005
【図５】
0005947970.tif 000006
【図６】
0005947970.tif 000007
【図７】
0005947970.tif 000008
【図８】
0005947970.tif 000009
【図９】
0005947970.tif 000010
【図１０】
0005947970.tif 000011
【図１１】
0005947970.tif 000012
【図１２】
0005947970.tif 000013
【図１３】
0005947970.tif 000014
【図１４】
0005947970.tif 000015
【図１５】
0005947970.tif 000016
【図１６】
0005947970.tif 000017
【図１７】
0005947970.tif 000018